(57)【要約】      （修正有）【課題】簡易で低コストな構成であり、取付面の影響を受け難く、軸方向・横方向への動きをスムースに許容した状態での配管支持が可能な配管支持装置を提供する。【解決手段】配管を軸方向及び横方向への動きを許容した状態で支持する配管支持装置において、該配管支持装置が、床や天井の如き取付面に固定される長尺状の台座と、該台座に起立する一対の支柱ボルトと、前記一対の支柱ボルト間に架設される上板状部材と下板状部材とを有し、該上板状部材と下板状部材の一方又は両方が、配管接触方向に開放部を有する略コ字状に折曲形成されることで横長方形の配管抱持部を形成しており、該横長方形配管抱持部である前記上板状部材の下面と下板状部材の上面に低摩擦係数部材からなる滑性シートが配設される。【選択図】図１
0003126437.tif 000002
【実用新案登録請求の範囲】
【請求項１】
配管を軸方向及び横方向への動きを許容した状態で支持する配管支持装置において、
該配管支持装置が、床や天井の如き取付面に固定される長尺状の台座と、該台座に起立する一対の支柱ボルトと、前記一対の支柱ボルト間に架設される上板状部材と下板状部材とを有し、
該上板状部材と下板状部材の一方又は両方が、配管接触方向に開放部を有する略コ字状に折曲形成されることで横長方形の配管抱持部を形成しており、該横長方形配管抱持部である前記上板状部材の下面と下板状部材の上面に低摩擦係数部材からなる滑性シートが配設された構成であることを特徴とする配管支持装置。
【請求項２】
前記上板状部材が、前記一対の支柱ボルトの夫々に螺合する上ナットによって上方から位置固定され、
前記下板状部材の下方に、前記一対の支柱ボルト間に架設されると共に該一対の支柱ボルトの夫々に螺合する下ナットによって下補強部材が配設され、
該下補強部材が、前記下板状部材の下面に当接して該下板状部材を位置固定状態で支持する構成であることを特徴とする請求項１に記載の配管支持装置。
【請求項３】
前記上板状部材又は下板状部材に形成されている支柱ボルト挿通孔の少なくとも１つが配管軸方向に開口部を有する切欠孔であり、該切欠孔の近傍には前記支柱ボルトから前記切欠孔が脱落するのを防止する掛止部が設けられている構成であることを特徴とする請求項１又は２に記載の配管支持装置。
【請求項４】
前記掛止部が、前記支柱ボルトに挿通された状態で前記上板状部材又は下板状部材の上方又は下方から掛止する板状部材であって、前記切欠孔が形成された上板状部材又は下板状部材の該切欠孔の開口部を有していない側の端部に引掛かる折曲部が設けられている構成であることを特徴とする請求項３に記載の配管支持装置。
【請求項５】
前記掛止部が、前記上板状部材及び下板状部材の一方又は両方の一部を折曲げ・湾曲・プレス・切り起こし、又は別部材の固着の如き形成手段による構成であることを特徴とする請求項３に記載の配管支持装置。
【請求項６】
配管を軸方向及び横方向への動きを許容した状態で支持する配管支持装置において、
該配管支持装置が、床や天井の如き取付面に固定される長尺状の台座と、該台座に起立する一対の支柱ボルトと、前記一対の支柱ボルト間に架設される上板状部材と下板状部材と該下板状部材の下面に当接して下方から位置固定状態で支持する下補強部材とを有し、
前記上板状部材が、前記一対の支柱ボルトの夫々に螺合する上ナットによって上方から位置固定され、
前記下補強部材が、前記一対の支柱ボルトの夫々に螺合する下ナットによって下方から位置固定され、
前記下板状部材が、配管接触方向に開放部を有する略コ字状に折曲形成されることで横長方形の配管抱持部を形成しており、該横長方形配管抱持部である前記上板状部材の下面と下板状部材の上面に低摩擦係数部材からなる滑性シートが配設され、
前記上板状部材又は下板状部材に形成されている支柱ボルト挿通孔の少なくとも１つが配管軸方向に開口部を有する切欠孔であり、
該切欠孔の近傍に前記支柱ボルトから前記切欠孔が脱落するのを防止する掛止部が設けられており、
該掛止部が、前記支柱ボルトに挿通された状態で前記上板状部材又は下板状部材の上方又は下方から掛止する板状部材であって、前記切欠孔が形成された上板状部材又は下板状部材の前記切欠孔の開口部を有していない側の端部に引掛かる折曲部が設けられている構成である、
ことを特徴とする配管支持装置。
【考案の詳細な説明】
【技術分野】
【０００１】
本考案は配管支持装置に関し、詳しくは配管を軸方向及び横方向への動きを許容した状態で支持する支持装置に関する。
【背景技術】
【０００２】
温排水を流す系統に塩ビ管を用いた場合、温度変化に伴う配管の伸縮や捩れが生じるので、配管及び継ぎ手の破損防止並びに静音の観点から、軸方向及び横方向への動きを許容した状態で配管を支持する必要がある。
【０００３】
そこで、配管を軸方向及び横方向への動きを許容した状態で支持する技術が種々提案されている（例えば、特許文献１及び２参照）。
【０００４】
【特許文献１】特開２００６−３８００７９
【特許文献２】特開２００５−４８８４９
【考案の開示】
【考案が解決しようとする課題】
【０００５】
特許文献１に記載の技術は、配管保持具を支える支柱を支持部材に横方向移動可能な状態で配設し、更に該支持部材を架台に軸方向移動可能な状態で配設する構成を有している。
【０００６】
しかしこの技術では、軸方向への動きを許容する構成と横方向への動きを許容する構成とを別構成としているため、構造が複雑で部品点数が多く、コスト高である。さらに、取付面積が大きいと共に取付面が水平ではない場合には軸方向及び横方向への動きが制限されてしまうという欠点を有している。
【０００７】
特許文献２に記載の技術は、横方向への移動は配管を上方から抱持するΩ字状バンドと一緒に移動し、軸方向への動きは配管を下方から支持する座板と一緒に移動する構成を有している。
【０００８】
しかしこの技術では、配管を上方から抱持するΩ字状のバンドは軸方向へ移動を許容する構成とはなっていないので、配管が軸方向へ移動する場合に該配管と前記Ω字状のバンドの接触部が擦れてしまい摺動音や摩擦熱が生じたり、動きの程度によっては当該部分が損傷してしまう虞を有している。また、配管と共に横方向に移動するΩ字状のバンドは両端の平板部に穿設されている透孔に挿通したボルトによって台座部分に揺動可能に取り付けられているため、横方向へ移動する際に透孔とボルト部分との接触音や摺動音等のガタツキ音が生じやすいという欠点を有している。
【０００９】
そこで本考案の課題は、簡易で低コストな構成であり、取付面の影響を受け難く、軸方向・横方向への動きをスムースに許容した状態での配管支持が可能な配管支持装置を提供することにある。
【課題を解決するための手段】
【００１０】
上記課題を解決する本考案は下記構成を有する。
【００１１】
１．配管を軸方向及び横方向への動きを許容した状態で支持する配管支持装置において、
該配管支持装置が、床や天井の如き取付面に固定される長尺状の台座と、該台座に起立する一対の支柱ボルトと、前記一対の支柱ボルト間に架設される上板状部材と下板状部材とを有し、
該上板状部材と下板状部材の一方又は両方が、配管接触方向に開放部を有する略コ字状に折曲形成されることで横長方形の配管抱持部を形成しており、該横長方形配管抱持部である前記上板状部材の下面と下板状部材の上面に低摩擦係数部材からなる滑性シートが配設された構成であることを特徴とする配管支持装置。
【００１２】
２．前記上板状部材が、前記一対の支柱ボルトの夫々に螺合する上ナットによって上方から位置固定され、
前記下板状部材の下方に、前記一対の支柱ボルト間に架設されると共に該一対の支柱ボルトの夫々に螺合する下ナットによって下補強部材が配設され、
該下補強部材が、前記下板状部材の下面に当接して該下板状部材を位置固定状態で支持する構成であることを特徴とする上記１に記載の配管支持装置。
【００１３】
３．前記上板状部材又は下板状部材に形成されている支柱ボルト挿通孔の少なくとも１つが配管軸方向に開口部を有する切欠孔であり、該切欠孔の近傍には前記支柱ボルトから前記切欠孔が脱落するのを防止する掛止部が設けられている構成であることを特徴とする上記１又は２に記載の配管支持装置。
【００１４】
４．前記掛止部が、前記支柱ボルトに挿通された状態で前記上板状部材又は下板状部材の上方又は下方から掛止する板状部材であって、前記切欠孔が形成された上板状部材又は下板状部材の該切欠孔の開口部を有していない側の端部に引掛かる折曲部が設けられている構成であることを特徴とする上記３に記載の配管支持装置。
【００１５】
５．前記掛止部が、前記上板状部材及び下板状部材の一方又は両方の一部を折曲げ・湾曲・プレス・切り起こし、又は別部材の固着の如き形成手段による構成であることを特徴とする上記３に記載の配管支持装置。
【００１６】
６．配管を軸方向及び横方向への動きを許容した状態で支持する配管支持装置において、
該配管支持装置が、床や天井の如き取付面に固定される長尺状の台座と、該台座に起立する一対の支柱ボルトと、前記一対の支柱ボルト間に架設される上板状部材と下板状部材と該下板状部材の下面に当接して下方から位置固定状態で支持する下補強部材とを有し、
前記上板状部材が、前記一対の支柱ボルトの夫々に螺合する上ナットによって上方から位置固定され、
前記下補強部材が、前記一対の支柱ボルトの夫々に螺合する下ナットによって下方から位置固定され、
前記下板状部材が、配管接触方向に開放部を有する略コ字状に折曲形成されることで横長方形の配管抱持部を形成しており、該横長方形配管抱持部である前記上板状部材の下面と下板状部材の上面に低摩擦係数部材からなる滑性シートが配設され、
前記上板状部材又は下板状部材に形成されている支柱ボルト挿通孔の少なくとも１つが配管軸方向に開口部を有する切欠孔であり、
該切欠孔の近傍に前記支柱ボルトから前記切欠孔が脱落するのを防止する掛止部が設けられており、
該掛止部が、前記支柱ボルトに挿通された状態で前記上板状部材又は下板状部材の上方又は下方から掛止する板状部材であって、前記切欠孔が形成された上板状部材又は下板状部材の前記切欠孔の開口部を有していない側の端部に引掛かる折曲部が設けられている構成である、
ことを特徴とする配管支持装置。
【考案の効果】
【００１７】
請求項１に示す考案によれば、一対の支柱ボルト間に架橋される上板状部材の下面と下板状部材の上面に配設された滑性シートで動きを許容した状態で支持する構成は簡易で低コストな構成であり、しかも低摩擦係数部材からなる滑性シートによる支持は軸方向・横方向への動きをスムースに許容した状態での配管支持が可能である。また、上板状部材と下板状部材とで構成される横長方形配管抱持部は、取付面に固定される台座とは別体であるため、配管支持が取付面の影響を受け難い構成となっている。
【００１８】
請求項２に示す考案によれば、配管支持位置は一対の支柱ボルトに螺合する上ナットとしたナットにより極めて容易に調整することができる。また、下板状部材を下方から支持する下補強部材により、下板状部材の撓みや歪みを防止し、安定した状態での配管支持を得ることができる。
【００１９】
請求項３に示す考案によれば、一部のナットの支柱ボルトに対する螺合を弛め、配管軸方向に開口部を有する切欠孔を有する部分を支柱ボルトに対する挿通を外すことで、全てのナットを支柱ボルトに螺合した状態のまま配管取付作業を行うことができるので作業性が極めて高い。しかも、支柱ボルトから前記切欠孔が脱落するのを防止する掛止部が設けられていることにより、ウォーターハンマー現象等によりナットが多少弛んでしまっても前記切欠孔が支柱ボルトから脱落してしまうことがなく、配管を常に安定した状態で支持することができる。
【００２０】
請求項４及び５に示す考案によれば、前記掛止部が極めて簡易に形成することができる。
【００２１】
請求項６に示す考案によれば、一対の支柱ボルト間に架橋される上板状部材の下面と下板状部材の上面に配設された滑性シートで動きを許容した状態で支持する構成は簡易で低コストな構成であり、しかも低摩擦係数部材からなる滑性シートによる支持は軸方向・横方向への動きをスムースに許容した状態での配管支持が可能である。また、上板状部材と下板状部材とで構成される横長方形配管抱持部は、取付面に固定される台座とは別体であるため、配管支持が取付面の影響を受け難い構成となっている。また、請求項６に示す考案によれば、配管支持位置は一対の支柱ボルトに螺合する上ナットとしたナットにより極めて容易に調整することができる。また、下板状部材を下方から支持する下補強部材により、下板状部材の撓みや歪みを防止し、安定した状態での配管支持を得ることができ、しかも、一部のナットの支柱ボルトに対する螺合を弛め、配管軸方向に開口部を有する切欠孔を有する部分を支柱ボルトに対する挿通を外すことで、全てのナットを支柱ボルトに螺合した状態のまま配管取付作業を行うことができるので作業性が極めて高いだけでなく、支柱ボルトから前記切欠孔が脱落するのを防止する掛止部が設けられていることにより、ウォーターハンマー現象等によりナットが多少弛んでしまっても前記切欠孔が支柱ボルトから脱落してしまうことがなく、配管を常に安定した状態で支持することができる。
【考案を実施するための最良の形態】
【００２２】
本考案に係る吊り金具用補強金具の詳細について、添付の図面に基づき説明する。
【００２３】
図１は本考案に係る配管支持装置の一実施例を示す正面図、図２は図１の要部構成を説明する拡大斜視図、図３は図２に示す要部構成の他の実施例を示す拡大斜視図、図４は掛止部の他の実施例を示す要部拡大斜視図、図５は係止部の他の実施例を示す要部拡大正面図、図６は本考案に係る配管支持装置の他の実施例を示す正面図、図７は本考案に係る配管支持装置の更に他の実施例を示す正面図である。
【００２４】
本考案に係る配管支持装置１は、配管Ｐを軸方向及び横方向への動きを許容した状態で支持するものであり、図１に示すように、床や天井の如き取付面２に固定される長尺状の台座３と、該台座３に起立する一対の支柱ボルト４・４と、前記一対の支柱ボルト４・４・間に架設される上板状部材５と下板状部材６とを有し、該上板状部材５と下板状部材６の一方又は両方（本実施例は下板状部材６）が、配管Ｐ接触方向に開放部を有する略コ字状に折曲形成されることで横長方形の配管抱持部７を形成しており、該横長方形配管抱持部７である前記上板状部材５の下面と下板状部材６の上面に低摩擦係数部材からなる滑性シート８が配設された構成となっている。
【００２５】
低摩擦係数部材からなる滑性シート８としては、四弗化エチレン樹脂等の低摩擦係数部材で形成されたシートが挙げられる。低摩擦係数部材としては、ＰＶＣ、架橋ポリオレフィン、オレフィン系樹脂、ＰＥＴ、シリコン樹脂、フッ素樹脂等であり、好ましくは四弗化エチレン樹脂である。
【００２６】
滑性シート８の上板状部材５の下面及び下板状部材６の上面への配設は、接着剤・粘着剤・接着シート等の接着手段を介して接着することで配設することが好ましい。
【００２７】
上板状部材５の下面と下板状部材６の上面に配設された滑性シート８によって、横長方形配管抱持部７に抱持した配管Ｐは、軸方向・横方向への動きをスムースに許容した状態で支持することが可能とある。また、上板状部材５と下板状部材６とで構成される横長方形配管抱持部７は、取付面２に固定される台座３とは別体であるため、配管支持が取付面２の凹凸等の影響を受け難い。
【００２８】
上板状部材５は、前記一対の支柱ボルト４・４の夫々に螺合する上ナット９・９によって上方から位置固定されている。
【００２９】
下板状部材６は、該下板状部材６の下方に、前記一対の支柱ボルト４・４間に架設されると共に該一対の支柱ボルト４・４の夫々に螺合する下ナット１０・１０によって配設された下補強部材１１が、前記下板状部材６の下面に当接して該下板状部材６を位置固定状態で支持している。下補強部材１１が、下板状部材６を下方から支持することにより、該下板状部材６の撓みや歪みを防止し、安定した状態での配管支持を得ることができる。
【００３０】
図２に示すように、上板状部材５に形成されている支柱ボルト挿通孔１２・１２の１つは配管軸方向に開口部１２Ａを有する切欠孔１２Ｂとなっており、該切欠孔１２Ｂの近傍には前記支柱ボルトから前記切欠孔が脱落するのを防止する掛止部１３が設けられている。尚、配管軸方向に開口部１２Ａを有する切欠孔１２Ｂは、挿通孔１２の１つに限らず両方が切欠孔であってもよいし、また、上板状部材５に限らず下板状部材６の挿通孔１２が開口部１２Ａを有する切欠孔１２Ｂであってもよい（図３に、開口部１２Ａを有する切欠孔１２Ｂを下板状部材６に形成した態様を示す）。
【００３１】
挿通孔１２の少なくとも１つを配管軸方向に開口部１２Ａを有する切欠孔１２Ｂとすることで、該切欠孔１２Ｂが挿通される支柱ボルト４に螺合する上ナット９及び／又は下ナット１０を弛めることで、切欠孔１２Ｂを有する部分を支柱ボルト４に対する挿通を外すことができるので、全てのナット９・９・１０・１０を支柱ボルト４・４に螺合した状態のまま配管取付作業を行うことができる。従って、作業性が極めて高い。
【００３２】
図２に示すように、掛止部１３は、前記支柱ボルト４に挿通された状態で前記上板状部材５の上方から掛止する板状部材であって、前記切欠孔１２Ｂが形成された上板状部材５の該切欠孔１２Ｂの開口部１２Ａを有していない側の端部１２Ｃに引掛かる折曲部１３Ａが設けられた構成である。尚、折曲部１３Ａを有する板状部材からなる掛止部１３は、本実施例のように上板状部材５の上方から掛止する構成に限定されず、下板状部材６の下方から掛止する構成であってもよい。
【００３３】
支柱ボルト４から前記切欠孔１２Ｂが脱落するのを防止する掛止部１３が設けられていることにより、ウォーターハンマー現象等により上ナット９及び／又は下ナット１０が多少弛んでしまっても前記切欠孔１２Ｂが支柱ボルト４から脱落してしまうことがなく、配管Ｐを常に安定した状態で支持することができる。
【００３４】
以上の構成を有する配管支持装置１の各構成部材、台座３、一対の支柱ボルト４・４、上板状部材５、下板状部材６、下補強部材１１の材質としては、この種の配管支持装置に用いられる公知公用の材質を挙げることができる。また、一対の支柱ボルト４・４、上ナット９・９、下ナット１０・１０についても、この種の配管支持装置に用いられる公知公用のボルト・ナットを用いることができる。
【００３５】
以上、本考案に係る配管支持装置１の実施例について説明したが、本考案は上記した実施例に限定されず、本考案の範囲内において種々の態様を採ることができる。
【００３６】
例えば、上記実施例では、上板状部材５及び下板状部材６とは別部材の板状部材の掛止部１３を、図４及び図５に示すように上板状部材５及び／又は下板状部材６と一体構成としてもよい。
【００３７】
図４（Ａ）に示す掛止部１３は、上板状部材５の切欠孔１２Ｂの近傍の一部を下方に折曲形成して掛止片１３Ｂを形成し、下板状部材６に前記掛止片１３Ｂが掛止する被掛止孔１３Ｃを形成し、該被掛止孔１３Ｃに前記掛止片１３Ｂが入り込んで掛止する構成である。
【００３８】
図４（Ｂ）に示す掛止部１３は、下板状部材６の挿通孔１２の近傍の一部を上方に切り起こし形成して掛止片１３Ｂを形成し、上板状部材５に前記掛止片１３Ｂが掛止する被掛止孔１３Ｃを形成し、該被掛止孔１３Ｃに前記掛止片１３Ｂが入り込んで掛止する構成である。
【００３９】
図４（Ｃ）に示す掛止部１３は、下板状部材６の一部であって且つ上板状部材５の切欠穴１２Ｂの開口部１２Ａが設けられていない配管軸方向側に上方に折曲形成する掛止片１３Ｂを形成し、該掛止片１３Ｂに上板状部材５の側面が引掛かることで掛止する構成である。
【００４０】
図４（Ｄ）に示す掛止部１３は、切欠孔１２Ｂ近傍の上板状部材５及び下板状部材６の
一部を湾曲加工することで掛止凸部１３Ｄ及び被掛止凹部１３Ｅを形成し、該被掛止凹部１３Ｅに前記掛止凸部１３Ｄが入り込んで掛止する構成である。
【００４１】
図４（Ｅ）に示す掛止部１３は、上板状部材５の端部を下方に折曲形成して掛止片１３Ｂを形成し、下板状部材６の端部を切欠形成して被掛止部１３Ｆを形成し、該被掛止部１３Ｆに前記掛止片１３Ｂを引掛けて掛止する構成である。
【００４２】
図４（Ｆ）に示す掛止部１３は、下板状部材６の一部であって且つ上板状部材５の切欠穴１２Ｂの開口部１２Ａが設けられていない配管軸方向側に上方に折曲形成する掛止片１３Ｂを形成し、更に、上板状部材６の一部であって且つ切欠穴１２Ｂの開口部１２Ａが設けられた配管軸方向側に下方に折曲形成する掛止片１３Ｇを形成し、前記掛止片１３Ｂが上板状部材５の側面に、前記掛止片１３Ｇが下板状部材６の側面に互いに引掛かることで掛止する構成である。尚、この態様の場合、図４（Ｆ）に示すように、開口部１２Ａを有する切欠孔１２Ｂは上板状部材５側だけでなく下板状部材６側に前記切欠孔１２Ｂとは逆向きの開口部１２Ｃを有する切欠孔１２Ｄを形成して、下板状部材６についても切欠孔１２Ｄを有する部分を支柱ボルト４に対する挿通を外すことができる。
【００４３】
図４（Ｇ）に示す掛止部１３は、上板状部材５の切欠孔１２Ｂの近傍の下面に別部材からなる掛止片１３Ｈを固着し、下板状部材６に前記掛止片１３Ｈが挿通可能な被掛止孔１３Ｃを形成し、該被掛止孔１３Ｃに前記掛止片１３Ｈが挿通されて掛止する構成である。
【００４４】
図５に示す掛止部１３は、切欠孔１２Ｂ近傍の上板状部材５及び下板状部材６の
一部をプレス加工することで掛止凸部１３Ｉ及び被掛止凹部１３Ｊを形成し、該被掛止凹部１３Ｊに前記掛止凸部１３Ｉが入り込んで掛止する構成である。
【００４５】
また、上記実施例では、下補強部材１１が下板状部材６の下面に当接して該下板状部材６を位置固定状態で支持する構成を有しているが、本考案はこれに限定されず、図６に示すように、下補強部材１１を用いることなく、下板状部材６を下ナット１０・１０によって位置固定する構成とすることもできる。
【００４６】
更に、上記実施例では、下板状部材６が配管Ｐ接触方向に開放部を有する略コ字状に折曲形成されることで横長方形の配管抱持部７を形成する構成を有しているが、本考案はこれに限定されず、図７に示すように、上板状部材５についても配管Ｐ接触方向に開放部を有する略コ字状に折曲形成し、該上板状部材５と下板状部材６双方の開放部によって横長方形配管抱持部７を形成する構成とすることもできる。また、この態様の場合、前記実施例のように、下板状部材６を下補強部材１１によって下方から支持する構成とすることもできる。
【００４７】
更にまた、横長方形配管抱持部７は、上板状部材５のみが配管Ｐ接触方向に開放部を有する略コ字状に折曲形成することで構成することもできる。
【図面の簡単な説明】
【００４８】
【図１】本考案に係る配管支持装置の一実施例を示す正面図
【図２】図１の要部構成を説明する拡大斜視図
【図３】図２に示す要部構成の他の実施例を示す拡大斜視図
【図４】掛止部の他の実施例を示す要部拡大斜視図
【図５】係止部の他の実施例を示す要部拡大正面図
【図６】本考案に係る配管支持装置の他の実施例を示す正面図
【図７】本考案に係る配管支持装置の更に他の実施例を示す正面図
【符号の説明】
【００４９】
１  配管支持装置
２  取付面
３  台座
４  一対の支柱ボルト
５  上板状部材
６  下板状部材
７  横長方形配管抱持部
８  滑性シート
９  上ナット
１０  下ナット
１１  下補強部材
１２  挿通孔
１２Ａ  開口部
１２Ｂ  切欠孔
１２Ｃ  逆向きの開口部
１２Ｄ  切欠孔
１３  掛止部
１３Ａ  折曲部
１３Ｂ  掛止片
１３Ｃ  被掛止孔
１３Ｄ  掛止凸部
１３Ｅ  被掛止凹部
１３Ｆ  被掛止部
１３Ｇ  掛止片
１３Ｈ  掛止片
１３Ｉ  掛止凸部
１３Ｊ  被掛止凹部
Ｐ  配管
【図１】
0003126437.tif 000003
【図２】
0003126437.tif 000004
【図３】
0003126437.tif 000005
【図４】
0003126437.tif 000006
【図５】
0003126437.tif 000007
【図６】
0003126437.tif 000008
【図７】
0003126437.tif 000009